(57)【要約】      （修正有）【課題】計量中の粉体等の損失や誤計量のおそれを低減することができ、確実に必要量の粉体等を量り取ることができる天秤セット及び天秤並びに計量容器を提供する。【解決手段】本天秤セット１は、被計量物が収容される計量容器３と、該計量容器を載置する計量台４を有する天秤２とを備え、上記計量容器と上記天秤とが、互いに引き合う磁性体を有し、上記計量容器と上記計量台とが上記磁性体により磁着される天秤セットである。上記天秤は、被計量物が収容される計量容器を載置する計量台と、上記被計量物の荷重を計量する計量部５と、上記計量台の上方に磁界を生じさせる磁石とを有する天秤である。上記計量容器は、天秤の計量台に載置され、上記計量台と磁着可能な磁性体を有する計量容器である。【選択図】図１
0003165621.tif 000002
【実用新案登録請求の範囲】
【請求項１】
被計量物が収容される計量容器と、
上記計量容器を載置する計量台を有する天秤と
を備え、
上記計量容器と上記天秤とが、互いに引き合う磁性体を有し、
上記計量容器と上記計量台とが上記磁性体により磁着される天秤セット。
【請求項２】
被計量物が収容される計量容器を載置する計量台と、
上記被計量物の荷重を計量する計量部と、
上記計量台の上方に磁界を生じさせる磁石と
を有する天秤。
【請求項３】
上記磁石が電磁石からなり、
上記計量部が、荷重を感知したことに起因して上記電磁石を励磁し、かつ上記荷重の軽減又は消滅を感知したことに起因して上記電磁石の励磁を停止する励磁手段を有する請求項２に記載の天秤。
【請求項４】
上記磁石が電磁石からなり、
上記計量部が、上記電磁石を選択的に励磁又は非励磁する選択手段を有する請求項２に記載の天秤。
【請求項５】
天秤の計量台に載置され、上記計量台と磁着可能な磁性体を有する計量容器。
【考案の詳細な説明】
【技術分野】
【０００１】
本考案は、天秤セット及び天秤並びに計量容器に関する。
【背景技術】
【０００２】
今日、適量の粉体等を量り取るために使用する計量装置として天秤が用いられている。このような天秤は、通常、計量台と、この計量台を下方から支持する計量部とを有している。かかる天秤を用いて適量の粉体等を量り取る場合、作業者は、量り取る粉体等を収容する計量容器を計量台に載置したうえ、この計量容器に収容される粉体等の量を微調整する。作業者は、天秤の示す数値が量り取りたい重さと等しくなるまで粉体等の量を微調整することで所望の量の粉体等を得ることができる。
【０００３】
今日では、このような粉体等を量り取るために用いることができる天秤として様々なものが発案されている。たとえば、電子天秤（特開２００９−２５７８６７号公報）が発案されている。
【０００４】
このような天秤を用いて所望の量の粉体等を量り取る場合、作業者は、通常、計量容器を計量台に載置した状態で粉体等の重さを量りながら、ヘラ又はスプーン等を用いてこの粉体等の量の微調整を行う。従って、かかる微調整作業中に、作業者の手や衣服の袖等が計量容器に接触することがあり、その結果、粉体等が計量容器からこぼれ落ちるということもまま起こることである。このような粉体等の落下は、粉体等の損失及びこれに伴うコストの発生をもたらすのみならず、落下した粉体等が計量されることによる誤計量や作業効率の低下等につながるおそれもある。
【０００５】
従って、適量の粉体等を量り取るために用いられる天秤としては、計量時における粉体等の損失や誤計量のおそれが少なく、確実に必要量の粉体等を得ることができるものであることが望ましい。しかし、このような要求を満たす天秤セット及び天秤並びに計量容器は現在のところ存在していない。
【先行技術文献】
【特許文献】
【０００６】
【特許文献１】特開２００９−２５７８６７号公報
【考案の概要】
【考案が解決しようとする課題】
【０００７】
本考案は、これらの不都合に鑑みてなされたものであり、計量中の粉体等の損失や誤計量のおそれが少なく、確実に必要量の粉体等を得ることができる天秤セット及び天秤並びに計量容器の提供を目的とするものである。
【課題を解決するための手段】
【０００８】
上記課題を解決するためになされた考案は、
被計量物が収容される計量容器と、
上記計量容器を載置する計量台を有する天秤と
を備え、
上記計量容器と上記天秤とが、互いに引き合う磁性体を有し、
上記計量容器と上記計量台とが上記磁性体により磁着される天秤セットである。
【０００９】
当該天秤セットは、計量容器と計量台とが磁性体により磁着されるように構成されている。従って、当該天秤セットは、計量容器を計量台上に安定的に保持することができる。それゆえ、当該天秤セットは、計量中に作業者の手や衣服の袖等が計量容器に接触しても、計量容器がバランスを崩すおそれが少ない。その結果、当該天秤セットは、計量中に被計量物が損失するおそれを低減することができるとともに、計量台の上に落下した被計量物が計量されることによる誤計量のおそれを低減することができ、確実に必要量の被計量物を量り取ることができる。
【００１０】
また、上記課題を解決するためになされた別の考案は、
被計量物が収容される計量容器を載置する計量台と、
上記被計量物の荷重を計量する計量部と、
上記計量台の上方に磁界を生じさせる磁石と
を有する天秤である。
【００１１】
当該天秤は、計量台の上方に磁界を生じさせる磁石を有している。従って、当該天秤は、この計量台に載置される計量容器をこの計量台と磁着されるように形成することによって、計量容器を計量台上に安定的に保持することができる。それゆえ、当該天秤は、計量中に作業者の手や衣服の袖等が計量容器に接触しても、計量容器がバランスを崩すおそれが少ない。その結果、当該天秤は、計量中に被計量物が損失するおそれを低減することができるとともに、計量台の上に落下した被計量物が計量されることによる誤計量のおそれを低減することができ、確実に必要量の被計量物を量り取ることができる。
【００１２】
当該天秤は、上記磁石が電磁石からなり、上記計量部が、荷重を感知したことに起因して上記電磁石を励磁し、かつ上記荷重の軽減又は消滅を感知したことに起因して上記電磁石の励磁を停止する励磁手段を有するとよい。これにより、計量台に計量容器を載置するに際して、計量容器が計量台に載置されるまでは計量容器と計量台との間には磁力が働かず、計量容器をスムーズに計量台に載せることができる。つまり、計量容器が計量台に載置される前に計量容器と計量台との間に磁力が働くと、その磁力によって計量台に近接した計量容器が急激に計量台に引きつけられて、計量容器のバランスが崩れ、被計量物が損失するおそれがある。これに対して、計量部が励磁手段を有することにより、計量容器をスムーズに計量台に載置することができ、被計量物の損失を防止することができる。一方、当該天秤は、計量台から被計量物を持ち上げるに際して、計量容器と計量台とを引き離すときには磁力が働かず、計量容器を計量台からスムーズに持ち上げることができる。その結果、当該天秤は、計量容器を計量台から持ち上げる際に、計量容器と計量台との間に磁力が働くことにより、計量容器が計量台に引きつけられ、計量容器のバランスが崩れ、被計量物が損失するおそれを低減することができる。
【００１３】
当該天秤は、上記磁石が電磁石からなり、上記計量部が、上記電磁石を選択的に励磁又は非励磁する選択手段を有するとよい。これにより、被計量物の量の微調整中等、計量容器を計量台上に安定的に保持しておきたい場合にのみ電磁石を励磁させることができる。
【００１４】
さらに、上記課題を解決するためになされた別の考案は、
天秤の計量台に載置され、上記計量台と磁着可能な磁性体を有する計量容器である。
【００１５】
当該計量容器は、計量台と磁着可能な磁性体を有している。従って、当該計量容器は、この計量台上に安定的に保持される。それゆえ、当該計量容器は、計量中に作業者の手や衣服の袖等が接触しても、バランスを崩すおそれが少ない。その結果、当該計量容器は、計量中に被計量物が損失するおそれを低減することができるとともに、計量台の上に落下した被計量物が計量されることによる誤計量のおそれを低減することができ、確実に必要量の被計量物を量り取ることができる。
【考案の効果】
【００１６】
以上説明したように、本考案の天秤セット及び天秤並びに計量容器は、計量中の粉体等の損失や誤計量のおそれを低減することができ、確実に必要量の粉体等を量り取ることができる。
【図面の簡単な説明】
【００１７】
【図１】本考案の一実施形態に係る天秤セットを示す模式的斜視図である。
【図２】図１の天秤セットにおける天秤の計量台を示すＡ−Ａ部分断面図である。
【図３】図１の天秤セットとは異なる形態に係る天秤セットを示す模式的斜視図である。
【図４】図３の天秤セットにおける天秤の励磁構造を示す概略ブロック図である。
【図５】図１及び図３の天秤セットとは異なる形態に係る天秤セットにおける天秤の励磁構造を示す概略ブロック図である。
【考案を実施するための形態】
【００１８】
以下、適宜図面を参照しつつ本考案の実施の形態を詳説する。
【００１９】
（第一実施形態）
図１の天秤セット１は、天秤２と、計量容器３とを有している。天秤セット１の使用方法としては、特に限定されないが、調剤作業等に好適に用いることができる。
【００２０】
天秤２は、計量台４と、計量部５と、磁性体としての磁石６とを有している。
【００２１】
天秤２は、電子天秤である。電子天秤としては、ロードセル式、電磁式、音叉式等、種々の計量手段を有するものが存在しているが、天秤２は、これらのうちのいずれの計量手段を有していてもよく、またそれ以外の計量手段を有していてもよい。
【００２２】
計量台４は、計量容器３を載置するための台である。計量台４は、上壁と、この上壁の周縁から下方に向けて略垂直に設けられる側壁とを有している。計量台４は、この上壁及び側壁により、下方に開口を有する扁平な矩形体に形成されている。計量台４は、上壁の裏面側の略中央に、計量部５が有する支持棒（図示せず）を嵌合するための連結部を有している。
【００２３】
計量台４の大きさは、被計量物の大きさや重さ等に対応して適宜変更されるものであって、特に限定されない。天秤２が粉体等の荷重を計量するものである場合、計量台４の大きさは、通常、長さ及び幅が、各々１０ｃｍ以上２０ｃｍ以下程度、厚さが０．５ｃｍ以上２．５ｃｍ以下程度とされている。計量台４の材質は、特に限定されないが、一般的にはステンレス等を使用することができる。
【００２４】
計量部５は、計量台４を下方から支持し、計量台４に載せられる被計量物の荷重を計量する。計量部５は、一般的な電子天秤が有する計量手段を有している。計量部５は、計量台４を下方から支持するための支持棒を有している。支持棒は、計量部５の接地面に対して略垂直に設けられている。計量部５は、支持棒の一端を計量台４の連結部に嵌合させることにより、計量台４を下方から支持するように構成されている。
【００２５】
磁石６は、図２に示すように、計量台４の裏面側に取り付けられている。磁石６は、計量台４の上方に磁界を生じさせるように構成されている。磁石６は、計量台４の裏面に直接取り付けられてもよく、ニッケル等により所定のメッキ加工を施されたうえで取り付けられてもよい。当該天秤２は、磁石６が所定のメッキ加工されることにより、防錆性を向上させることができる。なお、本実施形態では、磁石６は、計量台４の裏面に取り付けられる構成としたが、磁石６は、磁石６の周りをステンレス等によりメッキ加工することにより計量台４と一体的に構成されるようにしてもよい。
【００２６】
計量容器３は、被計量物が収容されるものである。計量容器３の大きさは、被計量物や計量台４の大きさ等によって適宜変更されるものであって、特に限定されない。計量容器３が粉体等を収容して使用されるものである場合、計量容器３の大きさは、通常、長さ及び幅が、各４ｃｍ以上１０ｃｍ以下程度、高さが０．５ｃｍ以上３ｃｍ以下程度とされている。被計量物は、計量容器３に直接収容されてもよく、また計量容器３に薬包紙等を介して収容されてもよい。計量容器３は、磁石６の磁力により磁性を発揮する磁性体により形成されている。計量容器３は、通常、常磁性体によって形成されている。計量容器３を形成する磁性体としては、特に限定されないが、例えば、鉄、コバルト、ニッケル、珪素鋼、パーマロイ、フェライト、ステンレス等を挙げることができる。また、計量容器３は、これらの磁性体に所定のメッキを施したものであってもよい。
【００２７】
次に当該天秤セット１によって被計量物の加重を計量する方法について説明する。
【００２８】
まず、作業者は、天秤１の電源を入れ、計量容器３及び計量容器３に載せられる薬包紙を計量台４に載置する。このとき、計量台４及び計量容器３は、天秤２が有する磁石６と磁性体からなる計量容器３とが互いに引き合った状態にあり、計量容器３は計量台４に磁着されている。作業者は、計量容器３と薬包紙とを計量台に載置した状態で風袋引きを行う。作業者は、計量台４に計量容器３が載置され、さらに計量容器３の上に薬包紙が載せられている状態で、粉体等の被計量物を薬包紙の上に適量載せる。作業者は、計量部５に表示される被計量物の荷重を示す数値を確認しつつ、ヘラ又はスプーン等により、薬包紙上の被計量物の量を微調整する。作業者は、計量部５に表示される被計量物の荷重を示す数値が所望の数値を示すように被計量物の量を微調整させたうえ、計量容器３及び計量容器３に載せられている薬包紙及び被計量物を取り上げる。
【００２９】
当該天秤セット１は、計量容器３と計量台４とが磁性体により磁着されるように構成されている。従って、当該天秤セット１は、計量容器３を計量台４上に安定的に保持することができる。それゆえ、当該天秤セット１は、計量中に作業者の手や衣服の袖等が計量容器３に接触しても、計量容器３がバランスを崩すおそれが少ない。その結果、当該天秤セット１は、計量中に被計量物が損失するおそれを低減することができるとともに、計量台４の上に落下した被計量物が計量されることによる誤計量のおそれを低減することができ、確実に必要量の被計量物を量り取ることができる。
【００３０】
当該天秤２は、計量台４の上方に磁界を生じさせる磁石６を有している。従って、当該天秤２は、計量台４に載置される計量容器３を計量台４と磁着されるように形成することによって、計量容器３を計量台４上に安定的に保持することができる。
【００３１】
当該計量容器３は、計量台４と磁着可能な磁性体により形成されている。従って、当該計量容器３は、計量台４と磁着されることにより計量台４上に安定的に保持される。
【００３２】
（第二実施形態）
図３の天秤セット１１は、天秤１２と、計量容器３とを有している。天秤セット１１において、図１の天秤セット１と同様の構成については、同一番号を付して適宜説明を省略する。
【００３３】
天秤１２は、計量台４と、計量部１３とを有している。
【００３４】
計量部１３は、計量部５が有する構成に加え、内部上方に電磁石１４を有している。具体的には、電磁石１４は、計量部１３に計量台４を取り付けた状態において、計量台４の下方に位置する場所であって、かつ計量台４の上方に磁界を生じさせることができる場所に備えられている。また、計量部１３は、電磁石１４と電気的に連結される制御部１５を有している。
【００３５】
電磁石１４は、鉄芯及びこの鉄芯の周りに巻かれたコイルから形成されている。電磁石１４は、制御部１５と電気的に連結されており、制御部１５から電流が供給されると励磁されて上方に磁界を生じさせる。また、電磁石１４は、制御部１５から電流の供給が停止されると非励磁状態となる。
【００３６】
制御部１５は、励磁手段１６を有している。制御部１５は、計量手段１７と電気的に連結されている。
【００３７】
励磁手段１６は、計量手段１７から荷重を感知した旨の信号を受け取ると、電磁石１４に対して電流を供給する。また、励磁手段１６は、計量手段１７から、荷重が消滅した旨の信号を受け取ると、電磁石１４に対する電流の供給を停止する。
【００３８】
天秤セット１１の動作手順について説明する。
【００３９】
まず、作業者は、天秤１１の電源を入れ、計量容器３及び薬包紙を計量台４に載置した状態で風袋引きを行う。この風袋引き作業に関し、作業者が計量容器３及び薬包紙を計量台４に載置する前の状態においては、計量手段１７は何らの荷重も感知していない。それゆえ、計量容器３を計量台４に載置する際には、電磁石１４は非励磁状態にあり、作業者は、計量容器３を計量台４側に引張られることなく計量容器３を計量台４に静置することができる。次に、作業者は、計量台４に計量容器３が載置され、さらに計量容器３の上に薬包紙が載せられている状態で、粉体等の被計量物を薬包紙の上に適量載せる。このとき、計量手段１７は、少なくとも計量容器３及び薬包紙の荷重を感知している。従って、励磁手段１６は、計量手段１７から荷重を感知した旨の信号を受け取っており、この信号に基づいて電磁石１４に電流を供給している。その結果、電磁石１４は、励磁されて上方に磁界を生じさせているので、計量台４と計量容器３とが磁着され、計量容器３は計量台４上に安定的に保持される。また、作業者が所望の量の被計量物を量り取った後、被計量物が載せられている計量容器３を計量台４から持ち上げる場合には、計量手段１７は、荷重の消滅を感知する。従って、励磁手段１６は、計量手段１７から荷重が消滅した旨の信号を受け取っており、この信号に基づいて電磁石１４への電流の供給を停止している。その結果、電磁石１４は、非励磁状態をなっているので、計量台４と計量容器３との磁着は解除されており、作業者は計量容器３をスムーズに持ち上げることができる。
【００４０】
当該天秤１２は、計量台４に計量容器３を載置するに際して、計量容器３が計量台４に載置されるまでは計量容器３と計量台４との間には磁力が働かず、計量容器３をスムーズに計量台４に載せることができる。つまり、計量容器３が計量台４に載置される前に計量容器３と計量台４との間に磁力が働くと、その磁力によって計量台４に近接した計量容器３が急激に計量台４に引きつけられて、計量容器３のバランスが崩れ、被計量物が損失するおそれがある。これに対して、当該天秤１２は、計量部１３が励磁手段１６を有することにより、計量容器３をスムーズに計量台４に載置することができ、被計量物の損失を防止することができる。一方、当該天秤１２は、計量台４から被計量物を持ち上げるに際して、計量容器３と計量台４とを引き離すときには磁力が働かず、計量容器３を計量台４からスムーズに持ち上げることができる。その結果、当該天秤１２は、計量容器３を計量台４から持ち上げる際に、計量容器３と計量台４との間に磁力が働くことにより、計量容器３が計量台４に引きつけられ、計量容器３のバランスが崩れ、被計量物が損失するおそれを低減することができる。
【００４１】
（第三実施形態）
本実施形態における天秤２１は、第二実施形態における天秤１２と比較して、電磁石１４を励磁又は非励磁にする励磁手段が相違する。以下、天秤２１が有する励磁手段について説明する。
【００４２】
図５の天秤２１は、電磁石１４と、制御部２２と、スイッチ２４とを有している。電磁石１４は、図３の天秤１２と同様であるため、同一番号を付して説明を省略する。
【００４３】
制御部２２は、励磁手段２３を有している。制御部２２は、スイッチ２４と電気的に連結されている。
【００４４】
励磁手段２３は、スイッチ２４から受け取った信号に基づいて、電磁石１４に電流を供給し、又は電磁石１４への電流の供給を停止する。
【００４５】
スイッチ２４は、作業者の選択に基づいて、励磁手段２３に対して、電磁石１４を励磁又は非励磁するよう指示を行う（選択手段）。具体的には、スイッチ２４は、作業者に押されることにより、ＯＮ状態又はＯＦＦ状態に変換される。スイッチ２４は、作業者に押されてＯＮ状態に変換されると、電磁石１４に電流を供給するよう励磁手段２３に対して指示を与える。また、スイッチ２４は、作業者に押されてＯＦＦ状態に変換されると、励磁手段２３に対して電磁石１４への電流の供給を停止するよう指示を与える。
【００４６】
当該天秤２１は、被計量物の量の微調整中等、計量容器３を計量台４上に安定的に保持しておきたい場合にのみ電磁石１４を励磁させることができる。従って、当該天秤２１は、電磁石１４を非励磁状態にしておくことにより、計量容器３を計量台４に静置することができるとともに計量容器３を計量台４からスムーズに持ち上げることができる。また、当該天秤２１は、計量作業中に電磁石１４を励磁させておくことにより、計量中に被計量物が損失するおそれを低減することができるとともに、計量台４の上に落下した被計量物が計量されることによる誤計量のおそれを低減することができ、確実に必要量の被計量物を量り取ることができる。
【００４７】
なお、天秤２１は、計量部１３内に電磁石１４を有しているので、被計量物等の荷重を計量する際に、計量容器３や被計量物等の荷重のみならず、計量台４と計量容器３とが磁力によって引き合う力によって加味される重さが計量手段１７によって測定されるおそれがある。それゆえ、この場合には、天秤２１は、計量台４と計量容器３とが引き合う力によって生じる重さを予め算出しておき、この重さを除いた値を被計量物の荷重として算出することが必要とされる。
【００４８】
なお、本考案の天秤セット及び天秤並びに計量容器は、上記態様の他、種々の変更、改良を施した形態で実施することができる。例えば、計量容器が磁石を有して形成されており、天秤の計量台がステンレス等、磁石によって引きつけられる磁性体を有して形成されていてもよい。また、計量容器及び天秤がともに磁石を有して形成されていてもよい。当該天秤に備えられる磁石又は電磁石は、計量台の上方に磁界を生じさせる限り、計量台又は計量部のいずれに備えられてもよく、また、例えば、計量台の中央等、特定の部分にのみ設けられていてもよい。
【００４９】
当該天秤は、励磁手段が、荷重の消滅を感知したことに起因して電磁石の励磁を停止する他、予め設定しておいた値以上の荷重の軽減を感知したことに起因して電磁石の励磁を停止するように構成されてもよい。当該天秤が調剤作業に用いられる場合、電磁石の励磁を停止するために要求される荷重の軽減量としては、被計量物の微調整作業を行うに当たって想定される荷重の軽減量よりも重い量を設定しておくことが好ましい。
【００５０】
当該計量容器は、計量台上に安定的に磁着されるものであればよいので、例えば、底部のみが磁性体で形成されていてもよい。
【００５１】
当該天秤セットは、粉体の調剤作業に好適に使用できる他、液体や固形物等、粉体以外の被計量物に対しても用いることができるのは当然である。
【産業上の利用可能性】
【００５２】
以上のように、本考案の天秤セット及び天秤並びに計量容器は、計量中の粉体等の損失や誤計量のおそれを低減することができるので、確実に必要量の粉体等を量り取るのに適している。
【符号の説明】
【００５３】
１  天秤セット
２  天秤
３  計量容器
４  計量台
５  計量部
６  磁石
１１  天秤セット
１２  天秤
１３  計量部
１４  電磁石
１５  制御部
１６  励磁手段
１７  計量手段
２１  天秤
２２  制御部
２３  励磁手段
２４  スイッチ
【図１】
0003165621.tif 000003
【図２】
0003165621.tif 000004
【図３】
0003165621.tif 000005
【図４】
0003165621.tif 000006
【図５】
0003165621.tif 000007